(57)【特許請求の範囲】
【請求項１】
カートンの一つの面が開封面であり，この開封面はその両側において隣接する第１，第２の面と交わってそれぞれ第１，第２の稜線を形成しており，
上記開封面は，隣接する上記第１，第２の面からそれぞれ上記稜線を経て連続する第１，第２の閉鎖片が，少なくともそれらの一部において外側と内側から互いに重ね合わされて構成されており，
外側に重なる上記第１の閉鎖片において，先端の摘み部とこれに連続して上記摘み部よりも幅の広い開放部が，上記摘み部から上記第１の面に向ってのびる開封用切断線によって区画され，上記開封用切断線を挟んで上記摘み部の両側に隣接する上記第１の閉鎖片の一部分が上記第２の閉鎖片の表面に固定されており，
上記摘み部は上記第２の稜線から離れた位置にあり，
上記第１，第２の稜線の少なくとも一方が１本であり，かつ上記摘み部と上記第２の閉鎖片の表面との間に指掛け用間隙が形成されるように作用する箇所で湾曲または屈曲されている，
板紙製カートン。
【請求項２】
上記第１の稜線が１本であり，かつ上記摘み部の少なくとも先端を上記第２の閉鎖片の表面から離す方向に上記第１の閉鎖片を変形させるように湾曲または屈曲されている，請求項１に記載の板紙製カートン。
【請求項３】
上記第２の閉鎖片の上記摘み部の先端の少なくとも一部に面する部分を含む範囲をその周囲から相対的に窪ませるように，第２の稜線が湾曲または屈曲されている，請求項１または２に記載の板紙製カートン。
【請求項４】
上記第１の閉鎖片の一部分が固定される上記第２の閉鎖片の部分が突出するように第２の稜線が湾曲または屈曲されている，請求項３に記載の板紙製カートン。
【請求項５】
上記摘み部が上記開封面の幅の3／5または1／3の幅をもつ中央帯内に位置している，請求項１から４のいずれか一項に記載の板紙製カートン。
【発明の詳細な説明】
【技術分野】
【０００１】
この発明は容易に開封が可能なタイプの板紙製カートンに関する。
【背景技術】
【０００２】
板紙製カートンの少なくとも一面に開封用切断線で区画された部分（いわゆるジッパー）（以下，開放部という）があり，その一部（摘み部）を指先で摘んで切断線に沿って引き裂いて開封することができる板紙製カートンがある。その一例が特許文献１に記載されている。
【先行技術文献】
【特許文献】
【０００３】
【特許文献１】特開２００５−８９００４号公報
【０００４】
この特許文献１に記載の板紙製カートンは直方体状のものであり，摘み部と開放部は一側面に区画され，開放部の区画は上面に及んでいる。摘み部の先端はカートンの側面と下面とのなす稜線に達している。そして，摘み部の先端の端辺が重なる稜線上の一部または全部に該端辺より幅が広い凹部を設けることにより，摘み部とカートンとの間に間隙を形成したものである。凹部に指先を入れて摘み部が摘みやすくなっているので，カートンの開封が容易にできる。
【０００５】
しかしながら，この構造の板紙製カートンでは摘み部と開放部のある側面は，上面，下面から折り曲って連続する板紙片を二枚重ねにして構成されている。摘み部の先端がカートンの下部稜線まで達しているので，上記側面の全体が二重になっており，その分ブランク材の面積を広くとらざるを得ない。
【０００６】
摘み部をカートンの側面のほぼ中央に位置させれば２つの板紙片の重なり領域を小さくできる。しかしながら，この構造では，外側から重なる摘み部が内側の板紙片にほぼぴったりと接しているので，間隙がなく，摘み部を摘み難いという問題が生じる。
【発明の開示】
【０００７】
この発明は，摘み部を含む部分の板紙片の重なりをできるだけ少なくして板紙材を節約するとともに，摘み部を容易に摘むことができ，したがって開封の容易な板紙製カートンを提供することを目的とする。
【０００８】
この発明による板紙製カートンにおいては，その一つの面が開封面であり，この開封面はその両側において隣接する第１，第２の面と交わってそれぞれ第１，第２の稜線を形成している。上記開封面は，隣接する上記第１，第２の面から稜線を経て連続する第１，第２の閉鎖片が，少なくともそれらの一部において外側と内側から互いに重ね合わされて構成される。外側に重なる上記第１の閉鎖片において，先端の摘み部とこれに連続して上記摘み部よりも幅の広い開放部が，上記摘み部から上記第１の面に向ってのびる開封用切断線によって区画され，上記開封用切断線を挟んで上記摘み部の両側に隣接する上記第１閉鎖片の一部分が上記第２の閉鎖片の表面に固定される。上記摘み部は，上記開封面の面内にある，すなわち上記第２の稜線から離れた位置にある。そして上記第１，第２の稜線の少なくとも一方が，上記摘み部と上記第２の閉鎖片の表面との間に指掛け用間隙が形成されるように作用する箇所で湾曲または屈曲されているものである。
【０００９】
この発明によると，上記摘み部は上記開封面の面内にあるので（上記摘み部の先端は上記第２の稜線から離れているので），開封面を構成する２つの閉鎖片が重なる領域を従来例に比べて小さくすることができ，板紙材を節約することができる。また，第１，第２稜線の少なくとも一方が変形（湾曲または屈曲）させられる結果，上記摘み部と上記第２の閉鎖片の表面との間に指掛け用間隙が形成されているから，この間隙に指を掛けて上記摘み部を掴んで引っ張り，上記摘み部および上記開放部を上記切断線に沿って破いてカートンを容易に開封することができる。
【００１０】
カートンは最も一般的には直方体状のものであるが，五角柱状，六角柱状など他の多面体形状のものでもよい。また，板紙には，表面に合成樹脂膜をコーティングしたもの等も含まれる。
【００１１】
この発明によるカートンには様々な実施形態がある。これをまとめ，かつ実施例との関係を整理すると次のようになる。
【００１２】
(1) 上記摘み部の少なくとも先端を上記第２の閉鎖片の表面から離す方向に上記第１の閉鎖片を変形させる態様（上記摘み部の少なくとも先端が面する上記第２の閉鎖片の部分の表面は変形（変位）しない）
(1-1) 上記第１の稜線を上記第１の面内において凹となるように変形させて，変形した  上記第１の稜線の部分付近において上記第１の閉鎖片をへこませ，上記摘み部を含む上  記第１の閉鎖片の一部（上記摘み部とこれに連なる上記開放部の一部）を斜めに（上記  摘み部が外方に突出するように）傾斜させる態様
例１．上記摘み部の中央部付近に対応する（上記摘み部の延長上に当る）１箇所にお    いて上記第１稜線を上記第１の面内において凹に変形する（第１実施例）（上記第１    の稜線の変形した部分付近において上記第１の面がふくらむ）。
例２．上記第１稜線を複数箇所で上記第１の面内において凹に変形する（第６実施例    ）（上記摘み部の両側付近に相当する２箇所で凹に変形する）。
(1-2) 上記第１の稜線を上記第１の面内において凸に変形させて上記摘み部とこれに連  なる上記開放部の一部を外方に突出させる態様
例．上記摘み部の中央部付近に対応する１箇所で上記第１の稜線を上記第１の面内に    おいて凸に変形する（第４，第５実施例）（上記第１の稜線の変形した部分付近にお    いて第１の面がへこむ）。
(1-3) 上記(1-1)と(1-2)とを異なる箇所で実施する
例．上記摘み部の一側に対応する箇所で上記第１の稜線を上記第１の面内において凹    に変形し，上記摘み部の他側に対応する箇所で上記第１の稜線を上記第１の面内にお    いて凸に変形する（第８実施例：上記第１の稜線における凹の変形と凸の変形は連続    的につながり，上記第１の稜線は波形に湾曲することになる）。
(1-4) 上記摘み部の両側に隣接する上記第１閉鎖片の一部分（上記第２の閉鎖片の表面  に固定される部分）（少なくとも一方でよい）を上記第２の閉鎖片の固定部分とともに  突出させて少なくとも上記摘み部を上記第２の閉鎖片の表面から浮き上がらせる態様
例．上記摘み部の両側に隣接する第１閉鎖片の一部分（固定部分）に相当する２箇所    において，上記第２の稜線を上記第２の面内において凸に変形させて上記第２の閉鎖    片の固定部分を突出させる（第７実施例）。（第２の稜線が変形した付近において，    上記第２の閉鎖片がふくらみ，上記第２の面がへこむ）。上記第２の閉鎖片が２箇所    で突出し，これらの間の相対的にへこんだ箇所に上記摘み部（の先端）が位置するこ    とになるから，上記摘み部は結果的に上記第２の閉鎖片から浮き上る。
第７実施例は，上記第２の閉鎖片の上記摘み部（の先端）に面する部分を含む範囲    を周囲から相対的にへこませる（窪みをつくる）ように第２の稜線を変形させると捉    えると，下記の(2)の例とすることもできる。
(2) 上記第２の閉鎖片の上記摘み部の先端（の少なくとも一部）に面する部分を含む範囲をへこませるように変形する態様
例．上記第２の稜線の上記摘み部の先端の延長上に位置する箇所を上記第２の面の面    内において凹に変形させ，これに伴って，上記第２の閉鎖片を，第２の稜線の変形し    た箇所から上記摘み部先端が面する部分付近までへこませる（第２実施例）（第２の    稜線の変形箇所付近において，上記第２の閉鎖片がへこみ，上記第２の面がふくらむ    ）。
(3) 上記(1)と(2)との組合せ
例１．上記(1-1)と上記(2)との組合せ
上記摘み部の中心に相当する箇所（上記摘み部の延長上の箇所）において上記第１    の稜線を上記第１の面内において凹に変形させ，かつ上記第２の稜線を上記第２の面    内において凹に変形させる（第３実施例）。
例２．上記(1-2)と上記(2)との組合せ
上記第１の稜線を上記第１の面内において凸に変形させて上記摘み部とこれに連な    る上記開放部の一部を外方に突出させ（第４実施例），かつ上記第２の稜線を上記第    ２の面内において凹に変形させる（第２実施例）（第４実施例と第２実施例との組合    せ）。
例３．上記(1-4)と上記(2)との組合せ
上記摘み部の一方側に隣接する上記第１閉鎖片の一部分（固定される部分）に相当    する箇所において上記第２の稜線を上記第２の面内において凸に変形させ，第１閉鎖    片の一部分（固定される部分）を上記第２の閉鎖片の固定部分とともに突出させて上    記摘み部の上記一方側を上記第２の閉鎖片表面から浮き上がらせ，かつ上記摘み部の    他方側に対応する上記第２の稜線の箇所を第２の面内において凹に変形させ，この箇    所から上記摘み部の他方側付近に至る上記第２の閉鎖片の部分をへこませる（第９実    施例：上記第２の稜線における凸の変形と凹の変形は連続的につながり，上記第２の    稜線は波形に変形することになる）。
【００１３】
この発明では上記摘み部は開封面の面内にある。開封面の面内にあるとは，上記摘み部の先端が上記第２の稜線に達していないことである。好ましくは，上記摘み部の先端と上記第２の稜線との間の間隔は10mm以上である。カートンの大きさによって開封面の大きさが変わるから，割合で表現すると，摘み部は開封面の面内において，開封面の幅（第１の稜線と第２の稜線との間の距離）を１とすると，摘み部は，好ましくは，第１，第２の稜線から開封面の幅の1／5の領域を除いた中央の3／5の幅の領域内にあるか，さらに望ましくは，第１，第２の稜線から開封面の幅の1／3の領域を除いた中央の1／3の幅の領域内にある。
【図面の簡単な説明】
【００１４】
【図１】第１実施例を示すもので，板紙製カートンの展開図（ブランクの図）である。
【図２】第１実施例を示すもので，組立てられた板紙製カートンを示す斜視図である。
【図３】第１実施例を示すもので，図２のIII−III線に沿う一部を誇張して示す拡大断面図である。
【図４】第１実施例を示すもので，板紙製カートンを開封した様子を示す斜視図である。
【図５】第１実施例を示すもので，板紙製カートンを開封した後，リクローズした状態を示す斜視図である。
【図６】第２実施例を示すもので，板紙製カートンの展開図（ブランクの図）である。
【図７】第２実施例を示すもので，組立てられた板紙製カートンを示す斜視図である。
【図８】第２実施例を示すもので，図７のVIII−VIII線に沿う一部を誇張して示す拡大断面図である。
【図９】第３実施例を示すもので，板紙製カートンの展開図（ブランクの図）である。
【図１０】第３実施例を示すもので，組立てられた板紙製カートンを示す斜視図である。
【図１１】第３実施例を示すもので，図10のXI−XI線に沿う一部を誇張して示す拡大断面図である。
【図１２】第４実施例を示すもので，板紙製カートンの展開図（ブランクの図）である。
【図１３】第４実施例を示すもので，組立てられた板紙製カートンを示す斜視図である。
【図１４】第４実施例を示すもので，図13のXIV−XIV線に沿う一部を誇張して示す拡大断面図である。
【図１５】第５実施例を示すもので，板紙製カートンの展開図（ブランクの図）である。
【図１６】第５実施例を示すもので，組立てられた板紙製カートンを示す斜視図である。
【図１７】第５実施例を示すもので，図16のXVII−XVII線に沿う一部を誇張して示す拡大断面図である。
【図１８】第６実施例を示すもので，板紙製カートンの展開図（ブランクの図）である。
【図１９】第６実施例を示すもので，組立てられた板紙製カートンを示す斜視図である。
【図２０】第６実施例を示すもので，図19のXX−XX線に沿う一部を誇張して示す拡大断面図である。
【図２１】第７実施例を示すもので，板紙製カートンの展開図（ブランクの図）である。
【図２２】第７実施例を示すもので，組立てられた板紙製カートンを示す斜視図である。
【図２３】第７実施例を示すもので，図22のXXIII−XXIII線に沿う一部を誇張して示す拡大断面図である。
【図２４】第８実施例を示すもので，板紙製カートンの展開図（ブランクの図）である。
【図２５】第８実施例を示すもので，組立てられた板紙製カートンを示す斜視図である。
【図２６】第８実施例を示すもので，図25のXXVI−XXVI線に沿う一部を誇張して示す拡大断面図である。
【図２７】第９実施例を示すもので，板紙製カートンの展開図（ブランクの図）である。
【図２８】第９実施例を示すもので，組立てられた板紙製カートンを示す斜視図である。
【図２９】第９実施例を示すもので，図28のXXIX−XXIX線に沿う一部を誇張して示す拡大断面図である。
【実施例】
【００１５】
第１実施例
第１実施例は図１から図５に示されている。
【００１６】
図１は，板紙を打ち抜いて形成された直方体状カートンのブランク10Ａを示している。ブランク10Ａには，一側面（開封面）の一部を構成する閉鎖片14，下面（底面）部11，他方の側面となる側面部12，上面部13および上記一側面（開封面）を構成するもう一つの閉鎖片15が一直線状に連続して設けられている。閉鎖片14の両端からは折込み片19が連続的に延び，下面部11の両端からは端面片16が連続的に延び，側面部12の両端からは折込み片17が連続的に延び，上面部13の両端からは端面片18が連続的に延びている。
【００１７】
これらの閉鎖片14，15，下面部11，側面部12，上面部13，端面片16，18，折込み片17，19は破線で示す折り線により区画されている。折り線はブランク10Ａに描かれるものではなく，理解しやすくするために特に示したものである。もっとも，カートンの組立工程において折り易いように，ブランクの打抜き工程で軽く折っておくか，折り罫をつけておくとよい。図１は左右対称であるから，図１に示されたブランクの面がカートンの内側面になる場合には破線の折り線は谷折り，外側面になる場合には山折りとなる。
【００１８】
第１実施例においては，展開図（図１）において，上面部13と閉鎖片15との境界である折り線が，その中央部分において上面部13内において凹となるようにわずかに（緩く）湾曲している（湾曲している部分を特に符号13Ａで示す）。すなわち，カートンを組立てたときに上面部13と閉鎖片15とがなす稜線（上記折り線）は，符号13Ａで示される部分において上面部13内で凹となるように変形（湾曲）させられる。
【００１９】
カートンの開封面となる一側面を構成する閉鎖片14の幅（組立てられたカートンの高さ方向の長さ）は，他側面を形成する側面部12の幅（カートンの高さ）と同程度か，やや小さい程度に形成され，その一辺（カートンを組立てたときに上辺となる）の中央部はややへこんでいる（符号14Ａ）で示す。また，リクローズ用の切込み28が中央部の上辺に近い箇所に形成されている。
【００２０】
カートンの開封面となる一側面を構成するもう一つの閉鎖片15の幅（組立てられたカートンの高さ方向の長さ）は閉鎖片14の幅よりも狭く，その半分程度である。この閉鎖片15の幅が狭いので，その分（側面部12の幅から閉鎖片15の幅を差し引いた幅の分），従来例に比べてブランク10Ａの材料である板紙を節約することができる。
【００２１】
この閉鎖片15には，開封用切断線27によって，摘み部25と開放部26が区画されている。すなわち，摘み部25は閉鎖片15の一辺（カートンを組立てたときに下辺となる）の中央部に狭い幅で区画され，開放部26は摘み部25から直線状に幅が広がり，さらに一定幅で上面部13の大部分を占めるように延びている。開封用切断線27は複数の切込みが不連続に連って形成されたもので，切込みの形は短い直線であっても，小さな穴であっても，図示のように小さな屈曲形であっても，どのような形でもよい。要するに，摘み部25を摘んで引っ張ることにより，摘み部25と開放部26をカートン（ブランク）から容易に引き裂くことができるものであればよい。切断線27はミシン目，切り取り点線などとも呼ばれる。開封用切断線27は摘み部25から閉鎖片15を上面部13の方向にのび，さらに上面部13に達して上面部13の側面部12寄りのところで止っている（端となっている）。切断線27の摘み部25側とは反対側の２つの端を結ぶ線29（一点鎖線で示す）が，開封したときの開放部26の折り線となる。この線29に沿って折り罫をつけておいてもよいし，折りやすいように部分的に切込みを入れておいてもよい。このように，開放部26は閉鎖片15から上面部13にまで及んでいるが，摘み部25から開封が始まるので，摘み部25が存在する面（閉鎖片15と14により構成される側面）を開封面と呼ぶことにする。
【００２２】
下面部11および上面部13の両端からそれぞれ延びる端面片16，18の幅（カートンを組立てたときの高さ方向の長さ）は，カートンの高さ（側面部12の幅）に相当する長さの半分以上であればよく，側面部12の幅よりも小さくてもよい。
【００２３】
このようなブランク10Ａを用いて図２に示すようなカートン10Ｂを組立てる。すなわち，下面部11，側面部12，閉鎖片14をそれらの隣接するものの間で直角に折り曲げながら，折込み片17，19を側面部12，閉鎖片14に対して直角に折り曲げ，端面片16を下面部11に対して直角に折り曲げて折込み片17，19に重ねかつこれらを接着（たとえば糊付け，合成樹脂被覆の溶着などによる固定）して上面が開放した箱体を形成し，開放した上面から内容物を入れる。この後，上面部13，閉鎖片15をそれぞれ側面部12，上面部13に対して直角に折り曲げ，また端面片18を上面部13に対して直角に曲げ，端面片16に重ねて接着する。そして，閉鎖片14の表面（外側面）に閉鎖片15を重ね，これらを接着により固定する。閉鎖片14が内側，閉鎖片15が外側となる。このとき，摘み部25および開放部26は接着せずに，摘み部25の両側に位置する閉鎖片15の一部（開封用切断線27を挟んで摘み部25に隣接する閉鎖片15の一部分，たとえば符号Ｐで示す範囲であって，好ましくは切断線27の近傍は除く。）を閉鎖片14の表面に接着する。好ましくは，閉鎖片14のリクローズ用切込み28およびその周辺も閉鎖片15と接着しない。カートンの組立ての順序は上記に限られず，組立機械等の動作（構造）に応じて適宜定めればよい。なお，後述する他の実施例においても，閉鎖片14と15（閉鎖片54と55）の接着範囲をＰで示す。
【００２４】
上面部13と閉鎖片15の境界である折り線は，展開図において，上述したように，符号13Ａで示すように，摘み部25に対応する（摘み部25の延長上に位置する）中央部分で上面部13内で凹となるように連続的に軽く湾曲している。この部分13Ａを含む折り線を直角に折り曲げると，上面部13からみると展開図と同じように湾曲部分13Ａは上面部13内において凹となっているから，側面すなわち閉鎖片15の面においては，湾曲部分13Ａから開放部26を経て摘み部25に至る中央部分のうち開放部26の湾曲部分13Ａに近い部分がへこむ（符号13Ｂで示す）。その結果，図３に示すように，少なくともへこみ部分13Ｂは，上，下面部13，11に垂直な閉鎖片14に対して斜めになる。このため，摘み部25の先端は，側面，すなわち内側の閉鎖片14の表面から離れ，摘み部25と閉鎖片14との間には間隙Ｇができる。なお，湾曲部分13Ａで湾曲している分だけ稜線が長くなるから，上面部13は湾曲部分13Ａの近傍で上方に突出するようにふくらむ（符号13Ｃで示す）。
【００２５】
なお，図３には，摘み部25の中央を通る切断線（III−III線）の断面に加えて，比較のために，符号Ｐで示す接着部分を通る切断線（IIIA−IIIA線）の断面が鎖線で示されている。また，図３の断面図は，板紙の厚さやへこみ13Ｂ，ふくらみ13Ｃ，開放部26の傾斜角度，摘み部25と閉鎖片14との間の間隙Ｇなどが誇張して描かれている。このことは他の断面図においても同じである。
【００２６】
閉鎖片15の幅は側面部12の幅（カートンの高さ）よりも短いから，摘み部25は開封面内にある（すなわち，摘み部25の先端は開封面と下面部11とのなす下部稜線まで達することはなく，この下部稜線から離れている）。しかしながら，カートン10Ｂの開封面において摘み部25の先端が閉鎖片14（側面）から離れ，それらの間に間隙Ｇができているので，この間隙Ｇに指を掛けて摘み部25を掴み，摘み部25を引っ張れば，切断線27が破れ（引き裂かれ），カートン10Ｂを開封することができる。開放部26を上面部13の折り線29で折り曲げれば，図４に示すように，開放部26は斜めに保たれ，上面部13に開口ができ，この開口から中味を取り出すことができる。
【００２７】
開封されたカートン10Ｃの側面（閉鎖片14）にはリクローズ用切込み28が形成されている。この切込み28は摘み部25に対応する位置にある。図５に示すように，開いた開放部26を閉じ（元の位置に戻し），摘み部25を切込み28内に差し込めば，開放部26は閉じた状態に保たれる。
【００２８】
なお，図面では稜線は緩やかに湾曲しているが（湾曲部分13Ａ），鈍角をなすように屈曲させてもよい。このことは，後述するすべての実施例においてあてはまる。
【００２９】
第２実施例
図６から図８は第２実施例を示すものである。これらの図において図１から図５に示す第１実施例における物と同一物には同一符号を付し，重複説明を避ける。第１実施例と異なる点についてのみ説明する。
【００３０】
第１実施例は開封面を構成する閉鎖片15と上面部13との間の稜線に湾曲または屈曲を設けたものであるが，第２実施例では開封面を構成する閉鎖片14と下面部11との間の稜線に湾曲または屈曲を設けている。
【００３１】
図６に示すように，閉鎖片14と下面部11との間の稜線の中央部分に，下面部11内において凹となるような湾曲が形成されている（符号24Ａで示す）。
【００３２】
このようなブランク20Ａを組立て得られるカートンが図７に，その断面図が図８に示されている。稜線の湾曲部分24Ａは下面部11内において凹となる形であるから，側面（開封面）を構成する閉鎖片14はこの湾曲した湾曲部分24Ａの近くでへこみ（符号24Ｂで示す），斜めになってその上辺14Ａの方向に向う。また，湾曲した湾曲部分24Ａの付近で下面部11が膨らむ（符号24Ｃで示す）。
【００３３】
一方，側面（開封面）を構成するもう一方の閉鎖片15（摘み部25，開放部26を含む）は上面部13から直角に屈曲され，垂下している。したがって，摘み部25と閉鎖片14との間には間隙Ｇができる。この間隙Ｇを利用して摘み部25に指を掛けて摘み部25を容易に掴み，開封することができる。
【００３４】
第３実施例
図９から図11は第３実施例を示すものである。これらの図においても図１から図５に示す第１実施例の物と同一物には同一符号を付し，重複説明を避ける。第１実施例と異なる点についてのみ説明する。
【００３５】
第１実施例は開封面を構成する閉鎖片15と上面部13との間の稜線に湾曲または屈曲を形成したもので，第２実施例は開封面を構成する閉鎖片14と下面部11との間の稜線に湾曲または屈曲を形成したものである。
【００３６】
第３実施例は第１実施例における稜線の湾曲または屈曲と，第２実施例における稜線の湾曲または屈曲との両方を設けたものである。
【００３７】
すなわち，閉鎖片15と上面部13との間の稜線に上面部13内において凹となる第１実施例と同程度の湾曲部分13Ａを設け（第１実施例と同じ符号を用いている），閉鎖片14と下面部11との間の稜線に下面部11内において凹となる第２実施例よりも小さな湾曲部分34Ａを設けたものである。このため閉鎖片14におけるへこみ34Ｂと下面部11におけるふくらみ34Ｂは第２実施例におけるよりも小さい。
【００３８】
閉鎖片15と上面部13との間の稜線の湾曲部分13Ａによって閉鎖片15の中央部分，すなわち摘み部25，開放部26を含む部分は下方に向って外方に斜めとなり，閉鎖片14と下面部11との間の稜線の湾曲部分34Ａによって閉鎖片14が斜めとなり，摘み部25と閉鎖片14との間にはより大きな間隙Ｇができる。なお，閉鎖片15と上面部13との間の稜線の湾曲部分13Ａを第１実施例のものよりも小さくしてもよい。
【００３９】
第３実施例は，第１実施例の特徴と第２実施例の特徴との両方を持っているので，摘み部と側面（開封面）との間の間隙Ｇをより大きくすることが可能である。
【００４０】
第４実施例
図12から図14は第４実施例を示すものである。これらの図において図１から図５に示す第１実施例の物と同一物には同一符号を付し，重複説明を避ける。第１実施例と異なる点についてのみ説明する。
【００４１】
第１実施例では開封面を構成する閉鎖片15と上面部13との間の稜線に上面部13内において凹となるように湾曲または屈曲を設けたものである。第４実施例では同じ閉鎖片15と上面部13との間の稜線に上面部13内において凸となる湾曲または屈曲を設けたものである。
【００４２】
すなわち，図12に示すように，閉鎖片15と上面部13との間の稜線の中央部分に，上面部13内において凸となるような湾曲が形成されている（符号43Ａで示す）。
【００４３】
このようなブランク40Ａを組立てて得られるカートン40Ｂが図13に，その断面図が図14に示されている。閉鎖片15と上面部13との間の稜線はその中央部分43Ａにおいて上面部13から外方に突出するように湾曲しているから（上面部13内において凸であるから），この部分43Ａから直角に折り曲げられた閉鎖片15の部分（開放部26と摘み部25）（符号43Ｂで示す）は側面（閉鎖片14）から離れた位置に相当する箇所から閉鎖片14との間隔をあけたまま垂下することになる。したがって，摘み部25と側面（閉鎖片14）との間には間隙Ｇが保たれる。なお，閉鎖片15の切断線27を挟んで摘み部25の両側にある部分（図１に符号Ｐで示した部分）は閉鎖片14に接着されているのはいうまでもない。また，上面部13の湾曲部分43Ａの近傍部分は下方にへこむことになる（符号43Ｃで示す）。
【００４４】
この第４実施例のものは上面部，下面部ともその一部が外方（上，下方向）に突出することがないからカートンをぴったりと積重ねることができる。なお，第４実施例に，第２実施例の特徴を組合せることもできる。
【００４５】
第５実施例
図15から図17は第５実施例を示すものである。
【００４６】
第５実施例は，摘み部とカートン面との間に間隙を形成する原理は第４実施例と同じであるが，カートンの形および摘み部が設けられる開封面が第１から第４実施例とは異なっている。すなわち，第５実施例では開封面はカートンの端面に形成されている。
【００４７】
図15において，ブランク50Ａには，側面部57，上面部53，側面部52，下面部51および接着片（のり代）59が一直線状に連続して設けられている。側面部57，52の両端には折込み片57Ａ，52Ａがそれぞれ連続して設けられている。上面部53の一端には開封面を構成する閉鎖片55が，他端には端面片58がそれぞれ連続して設けられている。同じように下面部51の一端には開封面を構成する閉鎖片54が，他端には端面片56がそれぞれ連続的に設けられている。これらの側面部57，52，折込み片57Ａ，52Ａ，上面部53，下面部51，閉鎖片55，54，端面片58，56，接着片59は折り線（破線で示す）で区画されている。
【００４８】
上面部53と閉鎖片55との境界である折り線が，その中央部分において，上面部53内において凸となるように湾曲している（この部分を符号51Ａで示す）。
【００４９】
カートンの一端面を構成する閉鎖片55には，開封用切断線27によって摘み部25および開放部26が他の部分（他の部分の面積の方が小さいが）と区画されている。摘み部25は中央部分に設けられ，切断線27は閉鎖片55の両端に達している。他方の閉鎖片54にはリクローズ用の切込み28が形成されている。
【００５０】
カートンの高さは側面部52の幅によって規定される。閉鎖片55，54の幅はカートンの高さに相当する幅よりも狭い。これによってブランクの板紙の節約が可能である。端面片56，58の幅もカートンの高さに相当する幅よりも小さい。
【００５１】
このようなブランク50Ａは通常のやり方で組立てられ，図16に示すカートン50Ｂが得られる。すなわち，側面部57，52，上面部53，下面部51および接着片59の相互間の折り線がそれぞれ直角に折曲され，角筒状になるように接着片59を内側にしてこの接着片59に側面部57が接着される。さらに，端面片56，58側の直角に折り曲げられた折込み片52Ａ，57Ａに端面片56が接着され，その上に端面片58が接着される。この状態で角筒内に内容物が入れられる。そして，閉鎖片54，55側の折込み片52Ｂ，57Ｂが直角に折り曲げられ，その上に閉鎖片54が折曲げられる。閉鎖片54の表面（外面）に閉鎖片55が，摘み部25および開放部26を除いた部分（鎖線Ｐで示す部分）で接着される。
【００５２】
摘み部25は２つの閉鎖片54，55によって構成される開封面（端面）内にあり，その先端は閉鎖片54と下面部51とがつくる稜線から離れている。
【００５３】
第４実施例と同じように，上面部53と閉鎖片55との間の稜線はその中央部分において上面部53から外方に突出するように（上面部53内において凸に）湾曲しているから（符号51Ａ），この稜線部分51Ａから垂下する閉鎖片55の部分51Ｂ，すなわち開放部26および摘み部25は内側の閉鎖片54から離れた状態に保たれ，摘み部25の先端（下端）と閉鎖片54との間には間隙Ｇが形成される。上面部53の湾曲部分51Ａに近い部分はへこんでいる（符号51Ｃで示す）。
【００５４】
第６実施例
図18から図20は第６実施例を示している。
【００５５】
第６実施例のカートンの形状は第１実施例のカートンの形状と比較すると，高さがやや低くかつ長さがより長くなっている。しかしながら，開封面は側面に設けられているので，この点で第１実施例のカートンと基本的構造は同じである。したがって，第１実施例の図１ないし図５に示すものと同一物（寸法または縦横比が異なるという相違はあるが）には同一符号を付し，重複説明を避ける。上述した第１から第４実施例と異なる部分について説明する。
【００５６】
図18に示すように，開封面を構成する外側の閉鎖片15と上面部13とのなす稜線には，摘み部25に相当する中央の位置を挟むように，摘み部25の幅程度の間隔をあけて２箇所に，上面部13内において凹となるゆるい湾曲部分63Ａが形成されている。このブランク60Ａを用いて，組立てられたカートン60Ｂにおいては，湾曲部分63Ａの位置で閉鎖片15（開放部26）がへこみ（符号63Ｂで示す）（上面部13の対応部分63Ｃは膨らむ），閉鎖片15は第１実施例と同じようにこの部分で斜めになり，その下端である摘み部25の先端と，その内側の閉鎖片14との間に間隙Ｇができる。なお図20は摘み部25の中央ではなく，湾曲部分63Ａに近い位置で切断して示す断面図である。
【００５７】
この実施例のように，長さの長いカートンであって，長い辺により規定される面が開封面であるような場合に，２つの湾曲部または屈曲部を設けると効果的である。特に，開封面の長さが長いので摘み部の幅を広くとることができ，摘みやすいとともに，幅の広い摘み部がリクローズ用切込みに差込まれるので，強固なリクローズを実現できる。このように幅の広い摘み部にこの実施例のものは好適である。湾曲部または屈曲部は３つ以上設けてもよい。このことは後で述べる第７から第９実施例についてもあてはまる。
【００５８】
第７実施例
図21から図23は第７実施例を示すものである。
【００５９】
第７実施例もまた長さの長いカートンに関するものであり，第１実施例または第６実施例に示すものと同一物には同一符号を付して説明を省略し，先の実施例と異なる部分についてのみ説明する。
【００６０】
図21において，開封面を構成する内側の閉鎖片14と下面部11との間の稜線に，２つの湾曲部分71Ａが形成されている。これらの湾曲部分71Ａは摘み部25を挟む位置に相当する部分に設けられ，下面部11内において凸に形成されている。
【００６１】
このようなブランク70Ａを用いて，組立てることにより得られるカートン70Ｂにおいては，図22に示すように，閉鎖片14の湾曲部分71Ａの近傍の部分が外方に突出し（突出した部分を符号71Ｂで示す），閉鎖片14が斜めになる。斜めになった閉鎖片14の一部の断面（XXIIIA−XXIIIA線に沿う断面）を図23に鎖線で示す。下面部11の対応する部分はへこむ（符号71Ｃで示す）。
【００６２】
外側の閉鎖片15の摘み部25の両側に位置する部分（接着される部分）は，傾斜した閉鎖片14に接着されるので，この部分も傾斜し，それらの間にある摘み部25および開放部26も傾斜する。他方，湾曲部分71Ａによる閉鎖片14の部分の傾斜はそれらの間（中央部）までは及ばず，この中央部分では閉鎖片14は下面部11からほぼ垂直に立上る。図23に中央部分の断面を示す。摘み部25はほぼ垂直になっている閉鎖片14の部分に面しているから，摘み部25と内側の閉鎖片14の表面との間には間隙Ｇができることとなる。
【００６３】
この実施例も長尺カートンで幅の広い摘み部を持つものに好適である。湾曲部（屈曲部）は３つ以上設けてもよい。
【００６４】
第８実施例
図24から図26は第８実施例を示すものである。
【００６５】
第８実施例も長尺カートンに関するもので，第１実施例または第６実施例に示すものと同一物には同一符号を付して説明を省略し，先の実施例と異なる部分についてのみ説明する。
【００６６】
図24の展開図に示すように，外側の閉鎖片15と上面部13との間の稜線が，長さ方向の中心の一方側では上面部13内において凹となり（符号83Ａ1 で示す），他方側では上面部13内において凸となる（符号83Ａ2 で示す）するように波形に滑らかに湾曲している。摘み部25は長さの中心線上にあり，幅が広く形成されている。
【００６７】
このようなブランク80Ａを用いて作製されたカートン80Ｂが図25に，その断面が図26にそれぞれ示されている。図25の断面は長さの中心よりも湾曲部分83Ａ1 に近い位置で切断したものである。
【００６８】
上面部13内で凹に湾曲した部分83Ａ1 は，第１実施例と同じように，外側の閉鎖片15を斜めにする作用があり，上面部13内で凸に湾曲した部分83Ａ2 は，第４実施例と同じように閉鎖片15を内側の閉鎖片14から離れた位置で垂下させる作用がある。いずれにしても，それらの中間の位置にある摘み部25は内側の閉鎖片14から離れ，間隙Ｇが形成される。
【００６９】
この実施例のものは，上面部と開封面との境界である稜線がかなり広い範囲にわたって滑らかに湾曲しているから，図25から分るように，意匠的に注目を引くものとなっている。
【００７０】
第９実施例
図27から図29は第９実施例を示すものである。
【００７１】
第９実施例も長尺カートンに関するもので，第１実施例または第６実施例に示すものと同一物には同一符号を付して説明を省略し，先の実施例と異なる部分についてのみ説明する。
【００７２】
図27の展開図に示すように，内側の閉鎖片14と下面部11との間の稜線が，長さ方向の中心の一方側では下面部11内において凸となり（符号91Ａ1 で示す），他方側では下面部11内において凹となる（符号91Ａ2 で示す）ように波形に滑らかに湾曲している。摘み部25は長さの中心線上にあり，幅が広く形成されている。
【００７３】
このようなブランク90Ａを用いて作製されたカートン90Ｂが図28に，その断面が図29にそれぞれ示されている。図29の断面は長さ方向の中心よりも湾曲部分91Ａ2 に近い位置で切断したものである。
【００７４】
下面部11内で凹となるように湾曲した部分91Ａ2 については，第２実施例と同じように閉鎖片14の下部がへこむので，摘み部25は閉鎖片14から離れる。また，下面部11内で凸に湾曲した部分91Ａ1 については，閉鎖片14のこれに相当する部分が斜めになり，この傾斜面に接着された閉鎖片15の部分（摘み部25に隣接する部分）も斜めになるが，中央にある摘み部25の位置では摘み部25はほぼ垂直で，摘み部25は閉鎖片14から浮き上る。したがって，摘み部25はいずれにしても内側の閉鎖片14から離れており，間隙Ｇが形成される。
【００７５】
この実施例のものは，下面部と開封面との境界である稜線がかなり広い範囲にわたって滑らかに湾曲しているから，図28から分るように，意匠的に注目を引くものとなっている。
【符号の説明】
【００７６】
15  第１の閉鎖片
14  第２の閉鎖片
25  摘み部
26  開放部
13Ａ，43Ａ，51Ａ，63Ａ，83Ａ1，83Ａ2  第１の稜線の湾曲部
24Ａ，34Ａ，71Ａ，91Ａ1，91Ａ2  第２の稜線の湾曲部
10Ｂ，20Ｂ，30Ｂ，40Ｂ，50Ｂ  板紙製カートン
27  開封用切断線
【図１】
0005935500.tif 000002
【図２】
0005935500.tif 000003
【図３】
0005935500.tif 000004
【図４】
0005935500.tif 000005
【図５】
0005935500.tif 000006
【図６】
0005935500.tif 000007
【図７】
0005935500.tif 000008
【図８】
0005935500.tif 000009
【図９】
0005935500.tif 000010
【図１０】
0005935500.tif 000011
【図１１】
0005935500.tif 000012
【図１２】
0005935500.tif 000013
【図１３】
0005935500.tif 000014
【図１４】
0005935500.tif 000015
【図１５】
0005935500.tif 000016
【図１６】
0005935500.tif 000017
【図１７】
0005935500.tif 000018
【図１８】
0005935500.tif 000019
【図１９】
0005935500.tif 000020
【図２０】
0005935500.tif 000021
【図２１】
0005935500.tif 000022
【図２２】
0005935500.tif 000023
【図２３】
0005935500.tif 000024
【図２４】
0005935500.tif 000025
【図２５】
0005935500.tif 000026
【図２６】
0005935500.tif 000027
【図２７】
0005935500.tif 000028
【図２８】
0005935500.tif 000029
【図２９】
0005935500.tif 000030